【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
線材（２）の一端にリベット部（３）を有するファスナー部材（１１）と、前記線材（２）に取り付けられる抜け止め部材（５）と、からなる綴じ具（１０）と、
基台（２１）の表面部に前記線材（２）を起立状態で係止させるための係止部（２２）を設けると共に、該係止部（２２）の下方に前記リベット部（３）を収容するための収容空間（２３）を設けた書類綴じ補助具（２０）と、
を含んで構成されたことを特徴とする書類綴じ装置。
【請求項２】
前記係止部（２２）を、前記収容空間（２３）の上方に設けられた開口部（２５）と、起立状態の前記線材（２）をスライドさせて前記開口部（２５）に導くための導入部（２６）と、で構成すると共に、該導入部（２６）を塞ぐ蓋部（４０）を設けたことを特徴とする請求項１に記載の書類綴じ装置。
【請求項３】
前記抜け止め部材（５）を収容するための凹部（４３）を前記基台（２１）又は前記蓋部（４０）に設けたことを特徴とする請求項２に記載の書類綴じ装置。
【請求項４】
前記係止部（２２）及び前記収容空間（２３）は、所定の間隔をあけて複数設けられたことを特徴とする請求項１〜請求項３の何れか１つの請求項に記載の書類綴じ装置。
【請求項５】
前記係止部（２２）又は前記収容空間（２３）は、前記基台（２１）の縁部に沿って同一間隔で連続的に設けられていることを特徴とする請求項４に記載の書類綴じ装置。  
【請求項６】
前記収容空間（２３）は、前記基台（２１）の縁部に沿って直線状に延びていることを特徴とする請求項１〜請求項３の何れか1つの請求項に記載の書類綴じ装置。
【手続補正２】
【補正対象書類名】明細書
【補正対象項目名】発明の名称
【補正方法】変更
【補正の内容】
【発明の名称】書類綴じ装置
【手続補正３】
【補正対象書類名】明細書
【補正対象項目名】０００１
【補正方法】変更
【補正の内容】
【０００１】
本発明は、書類を差し込んで保持すると共に保持された書類を綴じて書類束を形成するための装置に関し、特に、書類を綴じる作業を容易且つ迅速に行うことができる書類綴じ装置に関する。
【手続補正４】
【補正対象書類名】明細書
【補正対象項目名】０００３
【補正方法】変更
【補正の内容】
【０００３】
線材２に設けられた夫々のリブ１は、リベット部３の側に向かうにつれて拡径する円錐台形状であり、リング状の抜け止め部材５は、開口の中央部に向けて四方から延びる舌片部６を有している。この抜け止め部材５を、線材２から切り離し、切り離された先端部から線材２に通し、リベット部３に向けて進めていくことで、図１４（ｃ）に示すように、書類を束ねた状態で綴じることができるようになっている。
この際、抜け止め部材５の舌片部６は、夫々のリブ１の傾斜状の側面部に摺接しながら移動し、書類を束ねる位置においてリブ１の底面部にて係止される。リブ１の底面部において係止された舌片部６は、もはや逆方向に移動することができないので、書類束をしっかり綴じることができるようになっている。
【手続補正５】
【補正対象書類名】明細書
【補正対象項目名】０００６
【補正方法】変更
【補正の内容】
【０００６】
しかしながら、上記の綴じ具を使用する際には、書類を束ねた状態にしておく必要があり、データ用紙など、綴じ孔を有する書類を束ねる場合は、孔の位置合せが煩雑であった。また、束ねるべき書類を一時的に保持しておくためのトレイが必要であるし、溜まった書類を綴じる際には、書類を揃えて孔の位置合せを行った後、綴じ具を装着するという作業が必要であるため、書類を綴じる作業に手間がかかっていた。
そこで、本発明は、束ねるべき書類を保持しつつ位置合せを行うことができ、迅速且つ容易に書類を綴じることができる書類綴じ装置の提供を目的とする。
【手続補正６】
【補正対象書類名】明細書
【補正対象項目名】０００７
【補正方法】変更
【補正の内容】
【０００７】
上記課題を解決するために、本発明に係る書類綴じ装置は、線材の一端にリベット部を有するファスナー部材と、前記線材に取り付けられる抜け止め部材と、からなる綴じ具と、  基台の表面部に前記線材を起立状態で係止させるための係止部を設けると共に、該係止部の下方に前記リベット部を収容するための収容空間を設けた書類綴じ補助具と、を含んで構成されたことを特徴とするものである。
この場合、前記係止部を、前記収容空間の上方に設けられた開口部と、起立状態の前記線材をスライドさせて前記開口部に導くための導入部と、で構成すると共に、該導入部を塞ぐ蓋部を設けてもよい。
【手続補正７】
【補正対象書類名】明細書
【補正対象項目名】０００８
【補正方法】変更
【補正の内容】
【０００８】
また、前記抜け止め部材を収容するための凹部を前記基台又は前記蓋部に設けてもよい。
また、前記係止部及び前記収容空間は、所定の間隔をあけて複数設けられていてもよい。
この場合、前記係止部又は前記収容空間は、前記基台の縁部に沿って同一間隔で連続的に設けられていてもよい。
【手続補正８】
【補正対象書類名】明細書
【補正対象項目名】０００９
【補正方法】変更
【補正の内容】
【０００９】
また、前記収容空間は、前記基台の縁部に沿って直線状に延びていてもよい。  
【手続補正９】
【補正対象書類名】明細書
【補正対象項目名】００１０
【補正方法】削除
【補正の内容】
【手続補正１０】
【補正対象書類名】明細書
【補正対象項目名】００１２
【補正方法】変更
【補正の内容】
【００１２】
請求項２に係る書類綴じ装置は、収容空間の上方に開口部を設け、その開口部に、起立状態の線材をスライドさせて導くための導入部を設けたので、起立状態の線材をスライドさせて容易に係止部に係止させることができる。
また、導入部を塞ぐ蓋部を有するので、係止部からファスナー部材が抜け出すのを防止することができる。
請求項３に係る書類綴じ装置は、抜け止め部材を収容するための凹部が基台に設けられているので、抜け止め部材の紛失を防止することができる。
【手続補正１１】
【補正対象書類名】明細書
【補正対象項目名】００１３
【補正方法】変更
【補正の内容】
【００１３】
請求項４に係る書類綴じ装置は、ファスナー部材の線材を起立状態に支持するための係止部と収容空間を、所定の間隔をあけて複数設けたので、複数のファスナー部材を使用して、線材を複数起立させることができる。この複数の線材に、書類の綴じ孔を差し込むことで、同一サイズの書類の場合は、両端を揃えた状態で保持することができる。この状態で、ファスナー部材に抜け止め部材を装着すれば、両端の揃った冊子状の書類束を形成することができる。
請求項５に係る書類綴じ装置は、ファスナー部材の線材を起立状態にするための係止部や収容空間を、基台の縁部に沿って同一間隔で連続的に設けたので、書類の綴じ孔の間隔にあわせて、線材を起立させることができ、汎用性が向上される。
【手続補正１２】
【補正対象書類名】明細書
【補正対象項目名】００１４
【補正方法】変更
【補正の内容】
【００１４】
請求項６に係る書類綴じ装置は、収容空間を、基台の縁部に沿って直線状に形成したので、その収容空間に沿ってスライドさせることで、書類の綴じ孔の位置に合わせて、任意の位置に線材を起立させることができる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
【図１】本発明の第１実施形態に係る書類綴じ装置を示す斜視図である。
【図２】上記書類綴じ装置の綴じ具を示し、（ａ）は正面図、（ｂ）は縦断面図である。
【図３】上記綴じ具が締め付けられる状態を示す要部断面図である。
【図４】上記書類綴じ装置の断面図である。
【図５】上記書類綴じ装置の使用状態を示す説明図である。
【図６】上記書類綴じ装置の第１変形例を示す斜視図である。
【図７】上記書類綴じ装置の第２変形例を示す斜視図である。
【図８】上記書類綴じ装置の第３変形例を示す斜視図である。
【図９】上記書類綴じ装置の第４変形例を示す斜視図である。
【図１０】上記第４変形例に係る書類綴じ装置を構成する綴じ具と、書類綴じ補助具とを示す斜視図である。
【図１１】上記書類綴じ装置を使用して、書類を揃えて保持する状態を示す斜視図である。
【図１２】書類綴じ補助具から書類を外す状態を示す斜視図である。
【図１３】綴じ具の線材を切断して冊子状の書類束を作成する状態する状態を示す斜視図である。
【図１４】従来の綴じ具の第１態様であり、（ａ）は正面図、（ｂ）は断面図、（ｃ）は抜け止め部材を装着する状態、（ｄ）は抜け止め部材で締め付けた後に、線材を切断した状態を示す。
【図１５】従来の綴じ具の第２態様であり、（ａ）は正面図、（ｂ）は書類を束ねる状態、（ｃ）は線材を切断した状態、（ｄ）は抜け止め部材を装着した状態を示す。
【手続補正１５】
【補正対象書類名】明細書
【補正対象項目名】００２０
【補正方法】変更
【補正の内容】
【００２０】
線材２に設けられた夫々のリブ１は、リベット部３の側に向けて拡径する円錐台形状であり、リング状の抜け止め部材５は、開口の中央部に向けて四方から延びる舌片部６を有している。舌片部６の線材２への差込側の面６ａは、先端に向かうにつれて薄くなるように傾斜している。
この抜け止め部材５を、線材２から切り離し、切り離された先端部から線材２に差込み、リベット部３に向けて進めていくことで、書類を束ねた状態で綴じることができる。この際、抜け止め部材５の舌片部６は、夫々のリブ１の傾斜状の側面部１ａに摺接しながら移動し、リブ１の底面部１ｂにおいて係止される。リブ１の底面部１２にて係止された舌片部６は、もはや逆方向に撓むことができないので、抜け止め部材５がファスナー部材１１から抜け出すことはなく、書類束をしっかり綴じることができる（図３を参照）。
【手続補正１６】
【補正対象書類名】明細書
【補正対象項目名】００２７
【補正方法】変更
【補正の内容】
【００２７】
また、図７に示す第２変形例のように、係止部２２及び収容空間２３は、所定の間隔をあけて複数の箇所に設けられていてもよい。この場合、係止部２２は、前記基台の縁部に沿って同一のピッチで連続的に設けるのが好ましい。
屋根部２４の下方の収容空間２３は直線的なレール状ではなく、リベット部３が嵌合可能な凹凸形状を成したものであってもよい。
【手続補正１７】
【補正対象書類名】明細書
【補正対象項目名】００２８
【補正方法】変更
【補正の内容】
【００２８】
また、図８に示す第３変形例のように、基台２１の一箇所に、綴じ具1０を係止させるための係止部を設けても良い。
この場合、収容空間２３’を閉鎖空間とし、その上方に開口部２５’を設け、その開口部２５’から基台２１の縁部に向けて、起立状態のファスナー部材１１を開口部２５’へと導入するための導入部２６’を設けてもよい。
本発明における書類綴じ補助具２０は、基台２１の表面部に綴じ具１０を起立状態で係止させるための係止部を設けると共に、その係止部の下方にリベット部を収容するための収容空間を設けた構造であればよく、例えば、図９に示す第４変形例のように、平坦な基台２１に直線状の溝（即ち、収容空間２３）を設け、その溝に屋根部２４”を形成してもよい。
【手続補正１８】
【補正対象書類名】明細書
【補正対象項目名】００２９
【補正方法】変更
【補正の内容】
【００２９】
直線状の溝は、基台２１の両端において開放されており、その開放部から綴じ具１０を起立状態で差し込んでスライドさせ、所望の位置にて係止させる。溝の幅を、ファスナー部材１１の幅に応じて設計することで、ファスナー部材１１を導くための導入部２６”と、係止させるための開口部２５”とを形成することができる。
この変形例に係る書類綴じ装置は、図１０に示す部材によって構成される。
使用の際には、図１１に示すように、ファスナー部材に書類の綴じ孔を差し込むことで、書類を端を揃えて保持することができる。揃った状態の書類束を、書類綴じ補助具から取り外し（図１２を参照）、抜け止め部材によってファスナー部材１１を締め付け、残余のファスナー部材を切断することで冊子状の書類束を作成することができる（図１３を参照）。
【手続補正１９】
【補正対象書類名】図面
【補正対象項目名】図１
【補正方法】変更
【補正の内容】
【図１】
2012086452.tif 000001
【手続補正２０】
【補正対象書類名】図面
【補正対象項目名】図２
【補正方法】変更
【補正の内容】
【図２】
2012086452.tif 000002
【手続補正２１】
【補正対象書類名】図面
【補正対象項目名】図３
【補正方法】変更
【補正の内容】
【図３】
2012086452.tif 000003
【手続補正２２】
【補正対象書類名】図面
【補正対象項目名】図４
【補正方法】変更
【補正の内容】
【図４】
2012086452.tif 000004
【手続補正２３】
【補正対象書類名】図面
【補正対象項目名】図５
【補正方法】変更
【補正の内容】
【図５】
2012086452.tif 000005
【手続補正２４】
【補正対象書類名】図面
【補正対象項目名】図６
【補正方法】変更
【補正の内容】
【図６】
2012086452.tif 000006
【手続補正２５】
【補正対象書類名】図面
【補正対象項目名】図７
【補正方法】変更
【補正の内容】
【図７】
2012086452.tif 000007
【手続補正２６】
【補正対象書類名】図面
【補正対象項目名】図８
【補正方法】変更
【補正の内容】
【図８】
2012086452.tif 000008